(57)【要約】【課題】プロテクタの蓋体がパネルに重なる格好で配索されるワイヤハーネスおいて、電線をねじることなく配索することを可能とするとともに電線にプロテクタを確実に取り付けることができるプロテクタ用治具と治具を用いたプロテクタの取付方法を提供する。【解決手段】プロテクタ２は樋状のプロテクタ本体７と平板状の蓋体８を備えている。プロテクタ用治具１は一対の位置決め部１５ａ，１５ｂを備えている。位置決め部１５ａ，１５ｂは載置壁１７とこの載置壁１７の両縁から立設した一対のサイド壁１８を備えている。一対の位置決め部１５ａ，１５ｂ間には空間１９が設けられている。載置壁１７上でかつサイド壁１８間に電線４を位置付ける。電線４にプロテクタ本体７を被せる。蓋体８ａで一対の側壁１０間を塞いでプロテクタ２を電線４とともに位置決め部１５ａ，１５ｂから取り外す。【選択図】      図７
2004319141.tif 000002
【特許請求の範囲】
【請求項１】
ワイヤハーネス製造用の布線板に布線された電線に、該電線を保護するプロテクタを取り付ける際に用いられるプロテクタ用治具において、
前記プロテクタは、樋状のプロテクタ本体とこのプロテクタ本体とヒンジを介して連結した蓋体とを備えており、
前記布線板上に設置され、かつ前記布線板上にワイヤハーネスを配索するパターンにしたがって電線を位置決めするとともに、位置決めした電線を前記プロテクタ本体内に通して前記プロテクタを位置決めする電線プロテクタ位置決め手段を備えたことを特徴とするプロテクタ用治具。
【請求項２】
前記蓋体は複数設けられかつこれら複数の蓋体はプロテクタ本体内に通される電線の長手方向に沿って並べられており、
電線プロテクタ位置決め手段により位置決めされたプロテクタの複数の蓋体のうち少なくとも一つの蓋体が前記ヒンジを中心として回転することを許容する許容手段を備えたことを特徴とする請求項１記載のプロテクタ用治具。
【請求項３】
前記プロテクタ本体は、表面上に電線を位置付ける底壁と、この底壁の幅方向の両縁から立設しかつ互いに間隔をあけて相対する一対の側壁とを備えており、
前記電線プロテクタ位置決め手段は、外形が前記底壁に沿いかつ表面上に電線が置かれる載置壁と、この載置壁の幅方向の両縁から立設しかつ互いに間隔をあけて相対する一対のサイド壁とを備えており、
前記一対のサイド壁の外面間の距離は、前記一対の側壁間の間隔より狭いことを特徴とする請求項１記載のプロテクタ用治具。
【請求項４】
前記プロテクタ本体は、表面上に電線を位置付ける底壁と、この底壁の幅方向の両縁から立設しかつ互いに間隔をあけて相対する一対の側壁とを備えており、
前記電線プロテクタ位置決め手段は、外形が前記底壁に沿いかつ表面上に電線が置かれる載置壁と、この載置壁の幅方向の両縁から立設しかつ互いに間隔をあけて相対する一対のサイド壁とを備えており、
前記一対のサイド壁の外面間の距離は、前記一対の側壁間の間隔より狭いことを特徴とする請求項２記載のプロテクタ用治具。
【請求項５】
前記電線プロテクタ位置決め手段を、前記プロテクタ本体内に通される電線の長手方向に沿って間隔をあけて複数設け、
前記許容手段は、前記複数の電線プロテクタ位置決め手段間の空間であることを特徴とする請求項４記載のプロテクタ用治具。
【請求項６】
ワイヤハーネス製造用の布線板に布線された電線に、該電線を保護するプロテクタを取り付ける治具を用いたプロテクタの取付方法において、
前記プロテクタは、樋状のプロテクタ本体とこのプロテクタ本体とヒンジを介して連結した蓋体とを備えており、
前記治具は、前記布線板上に設置されかつ前記布線板上にワイヤハーネスを配索するパターンにしたがって電線を位置決めするとともに位置決めした電線を前記プロテクタ本体内に通して前記プロテクタを位置決めする電線プロテクタ位置決め手段を備え、
ワイヤハーネスを配索するパターンにしたがって前記電線を前記治具に位置決めした後、前記プロテクタ本体が位置決めされた電線に被さる状態で前記治具に前記プロテクタを位置決めして、前記電線と前記プロテクタとを固定することを特徴とする治具を用いたプロテクタの取付方法。
【請求項７】
前記蓋体は複数設けられかつこれら複数の蓋体はプロテクタ本体内に収容される電線の長手方向に沿って並べられており、
前記治具は、電線プロテクタ位置決め手段により位置決めされたプロテクタの複数の蓋体のうち少なくとも一つの蓋体が前記ヒンジを中心として回転することを許容する許容手段を備え、
前記電線プロテクタ位置決め手段に位置決めされた電線にプロテクタ本体を被せた後、プロテクタ本体を塞ぐ状態まで許容手段により回転が許容された蓋体を回転させた後、前記プロテクタと電線とを固体することを特徴とする請求項６記載の治具を用いたプロテクタの取付方法。
【請求項８】
前記プロテクタ本体は、表面上に電線を位置付ける底壁と、この底壁の幅方向の両縁から立設しかつ互いに間隔をあけて相対する一対の側壁とを備えており、
前記電線プロテクタ位置決め手段は、外形が前記底壁に沿いかつ表面上に電線が置かれる載置壁と、この載置壁の幅方向の両縁から立設しかつ互いに間隔をあけて相対する一対のサイド壁とを備え、前記一対のサイド壁の外面間の距離は、前記一対の側壁間の間隔より狭く形成されており、
前記電線プロテクタ位置決め手段に位置決めされた電線にプロテクタ本体を被せる際に、プロテクタ本体内に前記電線プロテクタ位置決め手段を収容することを特徴とする請求項６記載の治具を用いたプロテクタの取付方法。
【請求項９】
前記プロテクタ本体は、表面上に電線を位置付ける底壁と、この底壁の幅方向の両縁から立設しかつ互いに間隔をあけて相対する一対の側壁とを備えており、
前記電線プロテクタ位置決め手段は、外形が前記底壁に沿いかつ表面上に電線が置かれる載置壁と、この載置壁の幅方向の両縁から立設しかつ互いに間隔をあけて相対する一対のサイド壁とを備え、前記一対のサイド壁の外面間の距離は、前記一対の側壁間の間隔より狭く形成されており、
前記電線プロテクタ位置決め手段に位置決めされた電線にプロテクタ本体を被せる際に、プロテクタ本体内に前記電線プロテクタ位置決め手段を収容することを特徴とする請求項７記載の治具を用いたプロテクタの取付方法。
【請求項１０】
前記電線プロテクタ位置決め手段を、前記プロテクタ本体内に通される電線の長手方向に沿って間隔をあけて複数設け、
前記許容手段は、前記複数の電線プロテクタ位置決め手段間の空間であることを特徴とする請求項９記載の治具を用いたプロテクタの取付方法。
【発明の詳細な説明】
【０００１】
【発明の属する技術分野】
本発明は、ワイヤハーネス製造用の布線板に布線される電線にプロテクタを取り付ける際に用いられるプロテクタ用治具に関する。
【０００２】
【従来の技術】
車両としての自動車は、各種の電子機器を搭載している。このため、前記自動車は、前記電子機器に各種の信号や電力などを伝送するためにワイヤハーネスを配索している。ワイヤハーネスは、複数の電線と、この電線に取り付けられたコネクタと、プロテクタなどの各種の外装品を備えている。電線は、被覆電線である。
【０００３】
コネクタは、導電性の板金などからなる端子金具と、前記端子金具を収容するコネクタハウジングなどを備えている。端子金具は、電線の端部に取り付けられて、該電線の芯線と電気的に接続する。コネクタハウジングは、絶縁性の合成樹脂からなり箱状に形成されている。コネクタハウジングは、端子金具を収容する端子収容室を備えている。コネクタハウジングは、相手側のコネクタなどと結合可能である。
【０００４】
プロテクタは、樋状のプロテクタ本体と、このプロテクタ本体とヒンジを介して連結された蓋体とを備えている。プロテクタ本体は、略平坦な底壁と、この底壁の幅方向の両縁から立設した一対の側壁とを備えている。プロテクタ本体は、内側に前記ワイヤハーネスを構成する電線を通す。
【０００５】
蓋体は、一方の側壁の前記底壁から離れた側の縁にヒンジを介して連結している。蓋体は、ヒンジを中心として回転されることで、一対の側壁の底壁から離れた側の縁に取り付けられる。蓋体は、プロテクタ本体の一対の側壁間を塞ぐ。こうして、プロテクタは、プロテクタ本体と蓋体とで筒状をなし、内側に電線を通す。また、プロテクタは、周知のハーネス用テープなどにより電線と固定される。
【０００６】
前述したワイヤハーネスは、電線の端部に端子金具が取り付けられて、これらの端子金具が端子収容室内に挿入され、コネクタが相手側のコネクタなどに結合して組み立てられる。ワイヤハーネスは、前記自動車などに配索されて、各種の電子機器に所定の信号や電力を伝える。
【０００７】
【発明が解決しようとする課題】
前述したワイヤハーネスを組み立てる際には、表面が平坦な布線板にコネクタやプロテクタなどの外装品を置いていく。その後、電線を布線板上に布線する。このとき、これらの電線、コネクタやプロテクタは、ワイヤハーネスが配索されるパターンどおりに布線板上に位置決めされる。
【０００８】
このように、布線板上にプロテクタを位置決めした後に電線を布線して、ワイヤハーネスを組み立てる。このため、布線板には、プロテクタを位置決めする治具などが取り付けられている。これらの電線、コネクタやプロテクタなどを所定の順番で組み付けて、前述したワイヤハーネスが得られる。
【０００９】
前述したプロテクタは、前記蓋体が前記自動車のパネルに重ねる格好で、前記自動車に取り付けられることがある。前述した治具を用いてプロテクタを布線板上に位置決めした後、電線を布線すると、布線板上では自動車に配索されるパターンどおりに電線を布線するため、ワイヤハーネスの組立後に自動車に配索する際に、前記プロテクタの近傍で電線をねじる必要が生じる。電線をねじった状態でワイヤハーネスを配索することは望ましくない。
【００１０】
また、布線板上に電線を布線した後、これらの電線にプロテクタ本体を被せる格好でプロテクタを布線板に位置決めしても、前述した従来の治具が、電線を位置決めせずにプロテクタのみを位置決めするため、電線がプロテクタ本体から抜け出る虞があった。このように、前述した従来の治具では、電線にプロテクタを取り付けることができない虞があった。
【００１１】
したがって、本発明の目的は、プロテクタの蓋体がパネルに重なる格好で配索されるワイヤハーネスおいて、電線をねじることなく配索することを可能とするとともに電線にプロテクタを確実に取り付けることができるプロテクタ用治具と治具を用いたプロテクタの取付方法を提供することにある。
【００１２】
【課題を解決するための手段】
前記課題を解決し目的を達成するために、請求項１に記載の本発明のプロテクタ用治具は、ワイヤハーネス製造用の布線板に布線された電線に、該電線を保護するプロテクタを取り付ける際に用いられるプロテクタ用治具において、前記プロテクタは、樋状のプロテクタ本体とこのプロテクタ本体とヒンジを介して連結した蓋体とを備えており、前記布線板上に設置され、かつ前記布線板上にワイヤハーネスを配索するパターンにしたがって電線を位置決めするとともに、位置決めした電線を前記プロテクタ本体内に通して前記プロテクタを位置決めする電線プロテクタ位置決め手段を備えたことを特徴としている。
【００１３】
請求項２に記載の本発明のプロテクタ用治具は、請求項１に記載のプロテクタ用治具において、前記蓋体は複数設けられかつこれら複数の蓋体はプロテクタ本体内に通される電線の長手方向に沿って並べられており、電線プロテクタ位置決め手段により位置決めされたプロテクタの複数の蓋体のうち少なくとも一つの蓋体が前記ヒンジを中心として回転することを許容する許容手段を備えたことを特徴としている。
【００１４】
請求項３に記載の本発明のプロテクタ用治具は、請求項１に記載のプロテクタ用治具において、前記プロテクタ本体は、表面上に電線を位置付ける底壁と、この底壁の幅方向の両縁から立設しかつ互いに間隔をあけて相対する一対の側壁とを備えており、前記電線プロテクタ位置決め手段は、外形が前記底壁に沿いかつ表面上に電線が置かれる載置壁と、この載置壁の幅方向の両縁から立設しかつ互いに間隔をあけて相対する一対のサイド壁とを備えており、前記一対のサイド壁の外面間の距離は、前記一対の側壁間の間隔より狭いことを特徴としている。
【００１５】
請求項４に記載の本発明のプロテクタ用治具は、請求項２に記載のプロテクタ用治具において、前記プロテクタ本体は、表面上に電線を位置付ける底壁と、この底壁の幅方向の両縁から立設しかつ互いに間隔をあけて相対する一対の側壁とを備えており、前記電線プロテクタ位置決め手段は、外形が前記底壁に沿いかつ表面上に電線が置かれる載置壁と、この載置壁の幅方向の両縁から立設しかつ互いに間隔をあけて相対する一対のサイド壁とを備えており、前記一対のサイド壁の外面間の距離は、前記一対の側壁間の間隔より狭いことを特徴としている。
【００１６】
請求項５に記載の本発明のプロテクタ用治具は、請求項４に記載のプロテクタ用治具において、前記電線プロテクタ位置決め手段を、前記プロテクタ本体内に通される電線の長手方向に沿って間隔をあけて複数設け、前記許容手段は、前記複数の電線プロテクタ位置決め手段間の空間であることを特徴としている。
【００１７】
請求項６に記載の本発明の治具を用いたプロテクタの取付方法は、ワイヤハーネス製造用の布線板に布線された電線に、該電線を保護するプロテクタを取り付ける治具を用いたプロテクタの取付方法において、前記プロテクタは、樋状のプロテクタ本体とこのプロテクタ本体とヒンジを介して連結した蓋体とを備えており、前記治具は、前記布線板上に設置されかつ前記布線板上にワイヤハーネスを配索するパターンにしたがって電線を位置決めするとともに位置決めした電線を前記プロテクタ本体内に通して前記プロテクタを位置決めする電線プロテクタ位置決め手段を備え、ワイヤハーネスを配索するパターンにしたがって前記電線を前記治具に位置決めした後、前記プロテクタ本体が位置決めされた電線に被さる状態で前記治具に前記プロテクタを位置決めして、前記電線と前記プロテクタとを固定することを特徴としている。
【００１８】
請求項７に記載の本発明の治具を用いたプロテクタの取付方法は、請求項６に記載の治具を用いたプロテクタの取付方法において、前記蓋体は複数設けられかつこれら複数の蓋体はプロテクタ本体内に収容される電線の長手方向に沿って並べられており、前記治具は、電線プロテクタ位置決め手段により位置決めされたプロテクタの複数の蓋体のうち少なくとも一つの蓋体が前記ヒンジを中心として回転することを許容する許容手段を備え、前記電線プロテクタ位置決め手段に位置決めされた電線にプロテクタ本体を被せた後、プロテクタ本体を塞ぐ状態まで許容手段により回転が許容された蓋体を回転させた後、前記プロテクタと電線とを固体することを特徴としている。
【００１９】
請求項８に記載の本発明の治具を用いたプロテクタの取付方法は、請求項６に記載の治具を用いたプロテクタの取付方法において、前記プロテクタ本体は、表面上に電線を位置付ける底壁と、この底壁の幅方向の両縁から立設しかつ互いに間隔をあけて相対する一対の側壁とを備えており、前記電線プロテクタ位置決め手段は、外形が前記底壁に沿いかつ表面上に電線が置かれる載置壁と、この載置壁の幅方向の両縁から立設しかつ互いに間隔をあけて相対する一対のサイド壁とを備え、前記一対のサイド壁の外面間の距離は、前記一対の側壁間の間隔より狭く形成されており、前記電線プロテクタ位置決め手段に位置決めされた電線にプロテクタ本体を被せる際に、プロテクタ本体内に前記電線プロテクタ位置決め手段を収容することを特徴としている。
【００２０】
請求項９に記載の本発明の治具を用いたプロテクタの取付方法は、請求項７に記載の治具を用いたプロテクタの取付方法において、前記プロテクタ本体は、表面上に電線を位置付ける底壁と、この底壁の幅方向の両縁から立設しかつ互いに間隔をあけて相対する一対の側壁とを備えており、前記電線プロテクタ位置決め手段は、外形が前記底壁に沿いかつ表面上に電線が置かれる載置壁と、この載置壁の幅方向の両縁から立設しかつ互いに間隔をあけて相対する一対のサイド壁とを備え、前記一対のサイド壁の外面間の距離は、前記一対の側壁間の間隔より狭く形成されており、前記電線プロテクタ位置決め手段に位置決めされた電線にプロテクタ本体を被せる際に、プロテクタ本体内に前記電線プロテクタ位置決め手段を収容することを特徴としている。
【００２１】
請求項１０に記載の本発明の治具を用いたプロテクタの取付方法は、請求項９に記載の治具を用いたプロテクタの取付方法において、前記電線プロテクタ位置決め手段を、前記プロテクタ本体内に通される電線の長手方向に沿って間隔をあけて複数設け、前記許容手段は、前記複数の電線プロテクタ位置決め手段間の空間であることを特徴としている。
【００２２】
請求項１に記載した本発明のプロテクタ用治具によれば、電線プロテクタ位置決め手段は電線を位置決めする。電線プロテクタ位置決め手段は電線をプロテクタ本体内に通してプロテクタを位置決めする。このため、プロテクタ本体内から電線が抜け出ることを防止できる。
【００２３】
また、電線プロテクタ位置決め手段が布線された電線を布線板上に配索されるパターンどおりに位置決めする。このため、電線とプロテクタとの相対位置を配索するパターンどおりにすることができる。したがって、ワイヤハーネスを配索する際に、プロテクタの近傍で電線がねじれることを防止できる。
【００２４】
請求項２に記載した本発明のプロテクタ用治具によれば、少なくとも一つの蓋体がヒンジを中心として回転することを許容手段が許容する。このため、プロテクタ本体内に電線を通してプロテクタを位置決めした後、少なくとも一つの蓋体でプロテクタ本体の開口を塞ぐことができる。したがって、電線とプロテクタとの固定後に、これらが脱落することを防止できる。
【００２５】
請求項３及び請求項４に記載した本発明のプロテクタ用治具によれば、電線プロテクタ位置決め手段は、電線を載置できる載置壁と、この載置壁の両縁から立設した一対のサイド壁とを備えている。このため、載置壁に載置された電線が一対のサイド壁間から抜け出ることを防止できる。したがって、電線プロテクタ位置決め手段は、電線を配索パターンにしたがって確実に位置決めできる。
【００２６】
また、一対のサイド壁の外面間の距離は、一対の側壁間の間隔より狭いので、プロテクタを位置決めすると、プロテクタ本体の一対の側壁間に一対のサイド壁が位置する。則ち、プロテクタ本体内に電線プロテクタ位置決め手段が位置付けられる（収容される）。したがって、プロテクタと電線プロテクタ位置決め手段との間から電線が抜け出ることを確実に防止でき、ワイヤハーネスを配索するパターンにしたがって電線を確実に位置決めできる。
【００２７】
請求項５に記載した本発明のプロテクタ用治具によれば、電線プロテクタ位置決め手段を複数設け、これら電線プロテクタ位置決め手段間の空間が許容手段をなしている。このため、少なくとも一つの蓋体を確実に回転できる。
【００２８】
電線プロテクタ位置決め手段は、一対設けられるのが望ましい。このとき、一対の電線プロテクタ位置決め手段は、プロテクタ本体の長手方向の両端部に対応する位置に配されるのが望ましい。さらに、許容手段は、プロテクタ本体の長手方向の中央部に対応する位置に配されるのが望ましい。
【００２９】
請求項６に記載した本発明の治具を用いたプロテクタの取付方法によれば、電線プロテクタ位置決め手段で電線を位置決めした後、電線にプロテクタ本体を被せてプロテクタを位置決めする。そして、電線とプロテクタとを固定する。このため、電線とプロテクタとの相対位置をワイヤハーネスを配索するパターンにどおりにすることができる。このため、配索する際に、プロテクタの近傍で電線がねじれることを防止できる。
【００３０】
また、電線プロテクタ位置決め手段は、位置決めした電線をプロテクタ本体内に通してプロテクタを位置決めする。このため、プロテクタ本体内から電線が抜け出ることを防止できる。
【００３１】
請求項７に記載した本発明の治具を用いたプロテクタの取付方法によれば、プロテクタ本体が電線に被さる状態でプロテクタを位置決めした後、少なくとも一つの蓋体でプロテクタ本体の開口を塞ぐ。したがって、プロテクタ本体を電線に被さる状態で位置決めしても、プロテクタを電線プロテクタ位置決め手段から取り外した後に、プロテクタが電線から脱落することを防止できる。
【００３２】
請求項８及び請求項９に記載した本発明の治具を用いたプロテクタの取付方法によれば、電線プロテクタ位置決め手段は、電線を載置できる載置壁と、この載置壁の両縁から立設した一対のサイド壁とを備えている。このため、載置壁に載置された電線が一対のサイド壁間から抜け出ることを防止できる。したがって、電線プロテクタ位置決め手段は、電線を配索パターンにしたがって確実に位置決めできる。
【００３３】
また、一対のサイド壁の外面間の距離は、一対の側壁間の間隔より狭い。電線プロテクタ位置決め手段により位置決めされた電線にプロテクタ本体を被せる際に、プロテクタ本体内に電線プロテクタ位置決め手段を収容する。このため、プロテクタ本体の一対の側壁間に一対のサイド壁が位置する。したがって、プロテクタと電線プロテクタ位置決め手段との間から電線が抜け出ることを確実に防止でき、ワイヤハーネスを配索するパターンにしたがって電線を確実に位置決めできる。
【００３４】
請求項１０に記載した本発明の治具を用いたプロテクタの取付方法によれば、電線プロテクタ位置決め手段を複数設け、これら電線プロテクタ位置決め手段間の空間が許容手段をなしている。このため、少なくとも一つの蓋体を確実に回転できる。
【００３５】
電線プロテクタ位置決め手段は、一対設けられるのが望ましい。このとき、一対の電線プロテクタ位置決め手段は、プロテクタ本体の長手方向の両端部に対応する位置に配されるのが望ましい。さらに、許容手段は、プロテクタ本体の長手方向の中央部に対応する位置に配されるのが望ましい。
【００３６】
【発明の実施の形態】
以下、本発明の第１の実施形態を、図１ないし図９を参照して説明する。図３などに示す本発明の第１の実施形態にかかるプロテクタ用治具（以下単に治具と呼ぶ）１は、図１などに示すハーネス用プロテクタ（以下単にプロテクタと呼ぶ）２を、布線板３（図３などに示す）上に位置決めするとともに、電線４を配索するパターンにしたがって位置決めする。
【００３７】
布線板３は、自動車などの各種の機械などに配索されるワイヤハーネスを組み立てる際に用いられる。則ち、布線板３は、ワイヤハーネス製造用である。ワイヤハーネスは、勿論、図２などに示す電線４と、前述したプロテクタ２などの各種の外装品を備えている。電線４は、図２などに示すように、導電性の芯線５と、この芯線５を被覆する絶縁性の被覆部６とを備えている。芯線５は、複数の素線が撚り合わされて構成されている。被覆部６は、絶縁性の合成樹脂からなる。
【００３８】
布線板３は、図３などに示すように、その表面３ａが平坦な板状に形成されている。布線板３の表面３ａには、電線４を布線するパターンなどが描かれている。前記電線４を布線するパターンは、自動車などの機械にワイヤハーネスを配索するパターンにしたがって描かれている。また、布線板３は、その表面３ａに電線を結くことのできる結き具や、プロテクタ２などの外装品を位置決めするための治具が設置されている。これらの結き具や、各種の治具も、前述した機械などにワイヤハーネスを配索するパターンにしたがって配置されている。
【００３９】
前述したプロテクタ２は、合成樹脂からなり、前記自動車などの機械にワイヤハーネスが配索される際に、このワイヤハーネスを構成する電線４を保護する。プロテクタ２は、自動車などの車体などを構成する各種のパネルなどに後述の蓋体８，８ａが重なる状態で取り付けられる。プロテクタ２は、図１などに示すように、樋状のプロテクタ本体７と、複数の蓋体８とを備えている。プロテクタ本体７は、略平坦でかつ帯板状の底壁９と、この底壁９の幅方向の両縁から立設した一対の側壁１０とを備えている。
【００４０】
底壁９の外形は、ワイヤハーネスを自動車などの機械に配索するパターンと、取り付けられるパネルなどの外形に応じて形成されている。一対の側壁１０は、互いに間隔をあけて相対している。一対の側壁１０は、互いに平行である。側壁１０には、蓋体８の後述する係止突起１３が係止する係止受け部１１が複数形成されている。プロテクタ本体７は、底壁９と一対の側壁１０とで囲まれる空間内に電線４を通す。本明細書に記したプロテクタ本体７内に電線４を通すとは、前述した空間内に電線４を通すことである。
【００４１】
複数の蓋体８は、底壁９の長手方向に沿って並べられている。則ち、プロテクタ本体７に収容される（通される）電線４の長手方向に沿って並べられている。蓋体８は、図示例では、蓋体８は、３つ設けられている。それぞれの蓋体８は、平板状に形成されている。それぞれの蓋体８は、ヒンジ１２を介してプロテクタ本体７に連結している。ヒンジ１２は、蓋体８の厚みと、側壁１０の厚みより薄く形成されており、これら蓋体８と側壁１０との双方と一体に形成されている。ヒンジ１２は、蓋体８の外縁８ｂと、一方の側壁１０の底壁９から離れた側の縁部１０ａとを連結している。ヒンジ１２は弾性変形自在となっている。
【００４２】
蓋体８は、ヒンジ１２を中心として、図１中の一点鎖線に沿って、プロテクタ本体７に対し回転自在となっている。また、蓋体８には、前記係止受け部１１に係止する係止突起１３が複数形成されている。係止突起１３は、蓋体８の外縁８ｂに設けられている。
【００４３】
前述した構成のプロテクタ２は、以下のように、電線３則ちワイヤハーネスに取り付けられる。ます、プロテクタ２は、前記ヒンジ１２が弾性変形せずに係止突起１３が係止受け部１１に係止していない状態で、プロテクタ本体７内に電線４を通す。そして、ヒンジ１２の弾性復元力に抗して、係止突起１３が係止受け部１１に近づく方向に、ヒンジ１２を中心として図１中の一点鎖線に沿って蓋体８を回転させる。係止突起１３を係止受け部１１に係止させる。
【００４４】
そして、図２に示すように、プロテクタ２は、蓋体８でプロテクタ本体７の側壁１０間を塞いで、プロテクタ本体７と蓋体８の内側に電線４を通す。その後、プロテクタ２は、図２などに示すように、底壁９則ちプロテクタ本体７などと電線４の周りにハーネス用テープ（粘着テープともいい、以下単にテープと呼ぶ）１４が巻かれて、電線４などと固定される。こうして、プロテクタ２は、ワイヤハーネスを構成する電線４などに取り付けられる。
【００４５】
治具１は、図３ないし図５に示すように、位置決め部１５を複数備えている。位置決め部１５は、互いの間に電線４とプロテクタ２などを掛け渡して、これらの電線４とプロテクタ２との双方を布線板３上に位置決めする。位置決め部１５は、布線板３上に電線４を布線するパターン則ち自動車などの機械にワイヤハーネスを配索するパターンにしたがって電線４を位置決めする。さらに、位置決め部１５は、プロテクタ２を位置決めする。
【００４６】
位置決め部１５は、図示例では、一対設けられている。これら一対の位置決め部１５は、互いの間に掛け渡す電線４の長手方向に沿って、互いに間隔をあけて配されている。このため、位置決め部１５は、プロテクタ本体７の両端部９ａ，９ｂに対応する位置に配されている。位置決め部１５は、本明細書に記した電線プロテクタ位置決め手段をなしている。
【００４７】
図３中手前側に位置する一方の位置決め部１５（以下符号１５ａで示す）は、一対の支柱１６と、載置壁１７と、一対のサイド壁１８とを備えている。支柱１６は、布線板３から鉛直方向に沿って上方に立設している。載置壁１７は、略平坦な平板状に形成されている。載置壁１７は、支柱１６の上端（一端）に取り付けられている。載置壁１７の外形は、プロテクタ２の底壁９の一部（図１中手前側の一端部９ａ）の外形に沿っている。一端部９ａは、プロテクタ本体７の一端部をなしている。載置壁１７の外形は、布線板３上に電線４を布線するパターン則ちワイヤハーネスを配索するパターンにしたがって形成されている。載置壁１７の幅は、底壁９の幅より若干小さい。載置壁１７上には、電線４が置かれる。
【００４８】
サイド壁１８は、載置壁１７の幅方向の両縁から上方に立設している。なお、本明細書に記した幅方向とは、電線の長手方向に直交する方向である。サイド壁１８は、互いに間隔をあけて相対している。サイド壁１８は、互いに平行である。一対のサイド壁１８の外面１８ａ間の距離Ｌ（図３などに示す）は、プロテクタ２の一対の側壁１０間の間隔Ｄ（図１などに示す）より小さい。
【００４９】
図３中奥側の位置する他方の位置決め部１５（以下符号１５ｂで示す）は、前述した一方の位置決め部１５ａと構成が略等しいので、同一箇所には同一符号を付して説明を省略する。他方の位置決め部１５ｂの載置壁１７の外形は、プロテクタ２の底壁９の図１中奥側に位置する他端部９ｂの外形に沿っている。他端部９ｂは、プロテクタ本体７の他端部をなしている。
【００５０】
前述した一対の位置決め部１５ａ，１５ｂは、載置壁１７上に置かれる電線４則ちプロテクタ本体７内に通される電線４の長手方向に沿って間隔をあけて配されている。位置決め部１５ａ，１５ｂは、載置壁１７が底壁９と間隔をあけて相対しかつサイド壁１８の外側に側壁１０が位置する状態で、プロテクタ２を位置決めする。治具１は、位置決め部１５ａ，１５ｂにプロテクタ本体７が被さる状態で、プロテクタ２を位置決めする。このとき、位置決め部１５ａ，１５ｂにより位置決めされた電線４は、プロテクタ本体７内を通る。
【００５１】
また、一対の位置決め部１５ａ，１５ｂは、プロテクタ２のプロテクタ本体７の両端部９ａ，９ｂに対応する位置に配されている。また、一対の位置決め部１５ａ，１５ｂ間の空間１９は、本明細書に記した許容手段をなしている。前記空間１９により、位置決め部１５ａ，１５ｂに被さる状態でプロテクタ本体７が位置決めされたプロテクタ２の蓋体８のうち図１中中央に位置する蓋体８（以下符号８ａで示す）は、ヒンジ１２を中心として回転することが許容される。こうして、許容手段としての空間１９は、複数の蓋体８のうち少なくとも一つがヒンジ１２を中心として回転することを許容する。
【００５２】
前述した治具１を用いて、電線４にプロテクタ２を取り付ける際には、まず、図６に示すように、一対の位置決め部１５ａ，１５ｂ間に電線４を掛け渡す。このとき、電線４を載置壁１７上でかつ一対のサイド壁１８間に位置付ける。こうして、治具１の位置決め部１５ａ，１５ｂは、電線４を位置決めする。その後、図７に示すように、一対の位置決め部１５ａ，１５ｂにプロテクタ本体７を相対させる。そして、図８に示すように、一対の位置決め部１５ａ，１５ｂにプロテクタ本体７を被せる。こうして、プロテクタ本体７が被さる状態で、一対の位置決め部１５ａ，１５ｂは、プロテクタ２を位置決めする。すると、位置決め部１５ａ，１５ｂにより位置決めされた電線４は、プロテクタ本体７内に通される。
【００５３】
このとき、一対の側壁１０間に一対のサイド壁１８が位置しかつ底壁９が載置壁１７に間隔をあけて相対している。また、一対の位置決め部１５ａ，１５ｂ間にプロテクタ本体７が掛け渡された状態となっているとともに、一対の位置決め部１５ａ，１５ｂ上にプロテクタ本体７の長手方向の両端部９ａ，９ｂが位置している。こうして、位置決め部１５ａ，１５ｂは、プロテクタ２のプロテクタ本体７との間に電線４を位置付ける。
【００５４】
その後、許容手段としての前述した空間１９により回転が許容された蓋体８ａを、ヒンジ１２を中心として、係止受け部１１に係止突起１３が近づく方向に回転させる。そして、図９に示すように、係止受け部１１に係止突起１３を係止させて、中央に位置する蓋体８ａは、一対の側壁１０間を塞ぐ。
【００５５】
その後、プロテクタ本体７と電線４などにテープ１４を巻いて、プロテクタ２と電線４を固定する。そして、一対の位置決め部１５ａ，１５ｂからプロテクタ２を電線４とともに取り外す。そして、プロテクタ本体７の両端部９ａ，９ｂに位置する蓋体８の係止突起１３を係止受け部１１に係止させて、前記蓋体８で一対の側壁１０間を塞ぐ。こうして、プロテクタ２を電線４に取り付ける。
【００５６】
本実施形態によれば、治具１は、ワイヤハーネスを配索するパターンで電線４を位置決めし、プロテクタ本体７内に電線４を通した状態でプロテクタ２を位置決めする。さらに、位置決め部１５ａ，１５ｂとプロテクタ２のプロテクタ本体７との間に電線４を位置付ける。このため、プロテクタ本体７内から電線４が抜け出ることを防止できる。したがって、電線４にプロテクタ２を確実に取り付けることが可能となる。
【００５７】
また、位置決め部１５ａ，１５ｂは、布線された電線４を布線板３上に配索されるパターンどおりに位置決めする。位置決め部１５ａ，１５ｂは、プロテクタ本体７が布線板３上に布線された電線４に被さる状態で布線板３上にプロテクタ２を位置決めする。このため、電線４とプロテクタ２との相対位置を、配索されるパターンどおりにすることができる。このため、前述した自動車などに配索する際に、プロテクタ２の近傍で電線４がねじれることを防止できる。したがって、プロテクタ２の蓋体８，８ａがパネルに重なる格好で配索されるワイヤハーネスおいて、電線４をねじることなく配索することができる。
【００５８】
また、許容手段としての一対の位置決め部１５ａ，１５ｂ間に設けられた空間１９により、位置決め部１５ａ，１５ｂにプロテクタ本体７が被さった状態で位置決めされたプロテクタ２の中央に位置する蓋体８ａがヒンジ１２を中心として回転できる。このため、プロテクタ本体７が電線４に被さる状態でプロテクタ２を位置決めした後、蓋体８ａでプロテクタ本体７の側壁１０間を塞ぐことができる。
【００５９】
したがって、プロテクタ本体７を電線４に被さる状態で位置決めしして、電線４とプロテクタ２とを確実に固定できる。このため、プロテクタ２を治具１から取り外した後に、プロテクタ２が電線４などから脱落することを防止できる。したがって、電線４にプロテクタ２を確実に取り付けることができる。
【００６０】
位置決め部１５ａ，１５ｂは、電線４を載置できる載置壁１７と、この載置壁１７の両縁から立設した一対のサイド壁１８とを備えている。載置壁１７の外形は、電線４を配索するパターンにしたがって形成されている。このため、載置壁１７に載置された電線４が一対のサイド壁１８間から抜け出ることを防止できる。したがって、位置決め部１５ａ，１５ｂは、電線４を配索するパターンにしたがって確実に位置決めできる。
【００６１】
一対のサイド壁１８の外面１８ａ間の距離Ｌは、一対の側壁１０間の間隔Ｄより狭い。このため、位置決め部１５ａ，１５ｂにより位置決めされた電線４にプロテクタ本体７を被せると、プロテクタ本体７の一対の側壁１０間に一対のサイド壁１８が位置する。則ち、プロテクタ本体７内に位置決め部１５ａ，１５ｂが位置付けられる。
【００６２】
したがって、プロテクタ２と位置決め部１５ａ，１５ｂとの間から電線４が抜け出ることを確実に防止でき、ワイヤハーネスを配索するパターンにしたがって電線４を確実に位置決めできる。したがって、電線４をねじることなく配索することが可能となり、電線４にプロテクタ２を確実に取り付けることができる。
【００６３】
位置決め部１５ａ，１５ｂで電線４を位置決めした後、電線４にプロテクタ本体７を被せてプロテクタ２を位置決めする。そして、電線４とプロテクタ２とを固定する。このため、ワイヤハーネスを配索するパターンにどおりに、電線４とプロテクタ２との相対位置を保つことができる。このため、ワイヤハーネスを配索する際に、プロテクタ２の近傍で電線４がねじれることを防止できる。したがって、電線４をねじることなく配索することができる。
【００６４】
プロテクタ本体７が電線４に被さる状態でプロテクタ２を位置決めした後、一つの蓋体８ａでプロテクタ本体７の側壁１０間を塞ぐ。したがって、プロテクタ２を治具１から取り外した後に、電線４からプロテクタ２が脱落することを防止できる。したがって、電線４にプロテクタ２を確実に取り付けることができる。
【００６５】
次に、本発明の第２の実施形態を、図１０を参照して説明する。なお、前述した第１の実施形態と同一部分には、同一符号を付して説明を省略する。本実施形態では、図１０に示すように、プロテクタ２のプロテクタ本体７の底壁９に複数の孔２０が形成されている。孔２０は、底壁９の端部９ａ，９ｂそれぞれに二つづつ形成されている。則ち、底壁９には、合計４つの孔２０が形成されている。孔２０は、底壁９の幅方向に沿って、互いに間隔をあけて配されている。
【００６６】
また、本実施形態では、位置決め部１５ａ，１５ｂは、図１０に示すように、前述した載置壁１７と、一対の位置決めピン２１とを備えている。載置壁１７の外形は、前述した第１の実施形態と同様に形成されている。載置壁１７の幅は、底壁９の幅より大きくなっている。位置決めピン２１は、載置壁１７から上方に立設している。一対の位置決めピン２１は、載置壁１７の幅方向に沿って、互いに間隔をあけて配されている。位置決めピン２１は、プロテクタ２の孔２０内に浸入する。
【００６７】
本実施形態の治具１を用いて、電線４にプロテクタ２を取り付ける際には、位置決め部１５ａ，１５ｂの一対の位置決めピン２１間に電線４を通して、これらの電線４を位置決めする。このとき、勿論、電線４は、配索されるパターンどおりに位置決めされる。その後、プロテクタ本体７が電線４に被さる状態で、プロテクタ２を位置決め部１５ａ，１５ｂに近づけるとともに、孔２０内に位置決めピン２１を通す。プロテクタ本体７を位置決め部１５ａ，１５ｂに位置決めされた電線４に被せる。こうして、本実施形態では、一対の位置決めピン２１間に通して電線４を位置決めし、一対の位置決めピン２１を孔２０内に通して、プロテクタ２を位置決めする。
【００６８】
そして、中央に位置する蓋体８ａを空間１９内に通して回転して、この蓋体８ａで側壁１０間を塞ぐ。テープ１４などを巻いて、プロテクタ２と電線４とを固定した後、プロテクタ２を電線４とともに治具１から取り外す。その後、全ての蓋体８で側壁１０間を塞いで、プロテクタ２を電線４に取り付ける。
【００６９】
本実施形態においても、前述した第１の実施形態と同様に、治具１の位置決め部１５ａ，１５ｂが電線４とプロテクタ２との双方を位置決めする。また、位置決め部１５ａ，１５ｂに位置決めされた電線４にプロテクタ本体７が被さる状態で、プロテクタ２を位置決めする。電線４をワイヤハーネスとして配索するパターンどおりに布線した状態で、前記電線４にプロテクタ２を取り付けることができる。したがって、プロテクタ２の蓋体８，８ａがパネルに重なる格好で配索されるワイヤハーネスおいて、電線４をねじることなく配索することが可能となる。
【００７０】
さらに、一対の位置決め部１５ａ，１５ｂ間の空間１９により、位置決め部１５ａ，１５ｂにプロテクタ２を位置決めしたまま、中央に位置する蓋体８ａを回転させて、この蓋体８ａで一対の側壁１０間を塞ぐ。このため、電線４にプロテクタ２を確実に取り付けることができる。
【００７１】
【発明の効果】
以上説明したように、請求項１に記載の本発明は、電線プロテクタ位置決め手段がプロテクタ本体内に電線を通してプロテクタを位置決めする。このため、プロテクタ本体内から電線が抜け出ることを防止できる。したがって、電線にプロテクタを確実に取り付けることができる。
【００７２】
また、電線プロテクタ位置決め手段が布線された電線を布線板上に配索されるパターンどおりに位置決めする。このため、電線とプロテクタとの相対位置を配索するパターンどおりにすることができる。このため、配索する際に、プロテクタの近傍で電線がねじれることを防止できる。したがって、プロテクタの蓋体がパネルに重なる格好で配索されるワイヤハーネスおいて、電線をねじることなく配索することができる。
【００７３】
請求項２に記載の本発明は、少なくとも一つの蓋体がヒンジを中心として回転することを許容手段が許容する。このため、プロテクタを位置決めした後、少なくとも一つの蓋体でプロテクタ本体を塞ぐことができる。したがって、プロテクタを電線プロテクタ位置決め手段から取り外した後に、プロテクタが電線から脱落することを防止できる。したがって、電線にプロテクタを確実に取り付けることができる。
【００７４】
請求項３及び請求項４に記載の本発明は、電線プロテクタ位置決め手段は、電線を載置できる載置壁と、この載置壁の両縁から立設した一対のサイド壁とを備えている。このため、載置壁に載置された電線が一対のサイド壁間から抜け出ることを防止できる。したがって、電線プロテクタ位置決め手段は、電線を配索パターンにしたがって確実に位置決めできる。
【００７５】
また、一対のサイド壁の外面間の距離は、一対の側壁間の間隔より狭いので、プロテクタを位置決めすると、プロテクタ本体の一対の側壁間に一対のサイド壁が位置する。則ち、プロテクタ本体内に電線プロテクタ位置決め手段が位置付けられる。したがって、プロテクタと電線プロテクタ位置決め手段との間から電線が抜け出ることを確実に防止でき、ワイヤハーネスを配索するパターンにしたがって電線を確実に位置決めできる。したがって、プロテクタの蓋体がパネルに重なる格好で配索されるワイヤハーネスおいて、電線をねじることなく配索することが可能となり、電線にプロテクタを確実に取り付けることができる。
【００７６】
請求項５に記載の本発明は、電線プロテクタ位置決め手段を複数設け、これら電線プロテクタ位置決め手段間の空間が許容手段をなしている。このため、少なくとも一つの蓋体を確実に回転できる。したがって、電線にプロテクタを確実に取り付けることができる。
【００７７】
請求項６に記載の本発明は、電線プロテクタ位置決め手段で電線を位置決めした後、電線にプロテクタ本体を被せてプロテクタを位置決めする。そして、電線とプロテクタとを固定する。このため、電線とプロテクタとの相対位置を配索するパターンにどおりにすることができる。このため、配索する際に、プロテクタの近傍で電線がねじれることを防止できる。したがって、プロテクタの蓋体がパネルに重なる格好で配索されるワイヤハーネスおいて、電線をねじることなく配索することができる。
【００７８】
また、電線プロテクタ位置決め手段は、位置決めしたプロテクタのプロテクタ本体内に電線を通す。このため、プロテクタ本体内から電線が抜け出ることを防止できる。したがって、電線にプロテクタを確実に取り付けることができる。
【００７９】
請求項７に記載の本発明は、プロテクタ本体が電線に被さる状態でプロテクタを位置決めした後、少なくとも一つの蓋体でプロテクタ本体の開口を塞ぐ。したがって、プロテクタ本体を電線に被さる状態で位置決めしても、プロテクタを電線プロテクタ位置決め手段から取り外した後に、プロテクタが電線から脱落することを防止できる。したがって、電線にプロテクタを確実に取り付けることができる。
【００８０】
請求項８及び請求項９に記載の本発明は、電線プロテクタ位置決め手段は、電線を載置できる載置壁と、この載置壁の両縁から立設した一対のサイド壁とを備えている。このため、載置壁に載置された電線が一対のサイド壁間から抜け出ることを防止できる。したがって、電線プロテクタ位置決め手段は、電線を配索パターンにしたがって確実に位置決めできる。
【００８１】
また、一対のサイド壁の外面間の距離は、一対の側壁間の間隔より狭い。電線プロテクタ位置決め手段により位置決めされた電線にプロテクタ本体を被せる際に、プロテクタ本体内に電線プロテクタ位置決め手段を収容する。このため、プロテクタ本体の一対の側壁間に一対のサイド壁が位置する。したがって、プロテクタと電線プロテクタ位置決め手段との間から電線が抜け出ることを確実に防止でき、ワイヤハーネスを配索するパターンにしたがって電線を確実に位置決めできる。したがって、プロテクタの蓋体がパネルに重なる格好で配索されるワイヤハーネスおいて、電線をねじることなく配索することが可能となり、電線にプロテクタを確実に取り付けることができる。
【００８２】
請求項１０に記載の本発明は、電線プロテクタ位置決め手段を複数設け、これら電線プロテクタ位置決め手段間の空間が許容手段をなしている。このため、少なくとも一つの蓋体を確実に回転できる。したがって、電線にプロテクタを確実に取り付けることができる。
【図面の簡単な説明】
【図１】本発明の第１の実施形態にかかるプロテクタ用治具で電線に取り付けられるプロテクタの斜視図である。
【図２】図１に示されたプロテクタが電線に固定された状態を示す斜視図である。
【図３】本発明の第１の実施形態にかかるプロテクタ用治具の斜視図である。
【図４】図３に示されたプロテクタ用治具の平面図である。
【図５】図４中のＶ−Ｖ線に沿う断面図である。
【図６】図３に示されたプロテクタ用治具で電線を位置決めした状態を示す斜視図である。
【図７】図６に示されたプロテクタ用治具とプロテクタとを相対した状態を示す斜視図である。
【図８】図７に示されたプロテクタ用治具にプロテクタを被せた状態を示す斜視図である。
【図９】図８に示されたプロテクタの中央に位置する蓋体を閉じた状態を示す斜視図である。
【図１０】本発明の第２の実施形態にかかるプロテクタ用治具などを示す斜視図である。
【符号の説明】
１  治具（プロテクタ用治具）
２  プロテクタ
３  布線板
４  電線
７  プロテクタ本体
８，８ａ  蓋体
９  底壁
１０  側壁
１２  ヒンジ
１５，１５ａ，１５ｂ  位置決め部（電線プロテクタ位置決め手段）
１７  載置壁
１８  サイド壁
１８ａ  外面
１９  空間（許容手段）
Ｌ  サイド壁の外面間の距離
Ｄ  側壁間の間隔
【図１】
2004319141.tif 000003
【図２】
2004319141.tif 000004
【図３】
2004319141.tif 000005
【図４】
2004319141.tif 000006
【図５】
2004319141.tif 000007
【図６】
2004319141.tif 000008
【図７】
2004319141.tif 000009
【図８】
2004319141.tif 000010
【図９】
2004319141.tif 000011
【図１０】
2004319141.tif 000012